(57)【要約】【課題】フレームを小さな力で安全かつ簡単に移動させることができる可動式ロールスクリーンを提供することを課題とする。【解決手段】長手方向が左右方向に配置されたフレーム１０と、左右両端部がフレーム１０に回転自在な状態で取り付けられた巻取軸２０と、巻取軸２０に巻回されたスクリーン３０と、スクリーン３０の先端部に取り付けられたウェイトバー４０とを備えた可動式ロールスクリーン１であって、フレーム１０の左右両端部は、窓開口部８ｂの左右両側部に設けられたガイドレール６に沿って上下方向に移動自在であるとともに、ウェイトバー４０は、ガイドレール６又は窓開口部周辺に設けられた被係合部に係合可能であり、フレーム１０には、フレーム１０に対して上向きの引張力を付与する下降防止手段５０が連結されていることを特徴としている。【選択図】図２
2010101066.tif 000002
【特許請求の範囲】
【請求項１】
長手方向が左右方向に配置されたフレームと、
左右両端部が前記フレームに回転自在な状態で取り付けられた巻取軸と、
前記巻取軸に巻回されたスクリーンと、
前記スクリーンの先端部に取り付けられたウェイトバーと、を備え、
前記スクリーンの先端側を前記巻取軸から引き出し可能な可動式ロールスクリーンであって、
前記フレームの左右両端部は、窓開口部の左右両側部に設けられたガイドレールに沿って上下方向に移動自在であるとともに、
前記ウェイトバーは、前記窓開口部周辺に設けられた被係合部又は前記ガイドレールに係合可能であり、
前記フレームには、前記フレームに対して上向きの引張力を付与する下降防止手段が連結されており、
前記フレームは、前記下降防止手段から付与された引張力によって、停止状態に保たれていることを特徴とする可動式ロールスクリーン。
【請求項２】
長手方向が左右方向に配置されたフレームと、
左右両端部が前記フレームに回転自在な状態で取り付けられた巻取軸と、
前記巻取軸に巻回されたスクリーンと、
前記スクリーンの先端部に取り付けられたウェイトバーと、を備え、
前記スクリーンの先端側を前記巻取軸から引き出し可能な可動式ロールスクリーンであって、
前記フレームの左右両端部は、窓開口部の左右両側部に設けられたガイドレールに沿って上下方向に移動自在であるとともに、
前記ウェイトバーは、前記窓開口部周辺に設けられた被係合部又は前記ガイドレールに係合可能であり、
前記フレームには、前記フレームに対して上向きの引張力を付与する下降防止手段が連結されており、
前記フレーム内には、前記ガイドレールに押し付けられるフレーム係合部材が設けられ、前記フレーム係合部材が前記ガイドレールに押し付けられることで、前記フレームが前記ガイドレールに係合されることを特徴とする可動式ロールスクリーン。
【請求項３】
前記フレーム内には、前記フレーム係合部材を前記ガイドレールに押し付ける弾性部材が設けられており、
前記フレームには、前記フレーム係合部材を前記弾性部材の弾性力に抗して移動させる係合解除手段が設けられていることを特徴とする請求項２に記載の可動式ロールスクリーン。
【請求項４】
前記フレーム係合部材は、前記ガイドレールに押し付けられる部位に、弾性材料で形成された固定部材が取り付けられていることを特徴とする請求項２又は請求項３に記載の可動式ロールスクリーン。
【請求項５】
前記下降防止手段は、
前記窓開口部の側部に設けられた支持部材と、
前記支持部材に掛け回された線状体と、を備え、
前記線状体の一端側には前記フレームが吊り下げられ、他端側にはウェイトが吊り下げられていることを特徴とする請求項１から請求項４のいずれか一項に記載の可動式ロールスクリーン。
【請求項６】
前記下降防止手段は、
前記窓開口部の側部に設けられた支持部材と、
前記支持部材に掛け回された線状体と、を備え、
前記線状体の一端側には前記フレームが吊り下げられ、他端側は巻き取り方向に回転力が付与されたリールに巻回されていることを特徴とする請求項１から請求項４のいずれか一項に記載の可動式ロールスクリーン。
【請求項７】
前記被係合部は、前記窓開口部の開口方向に延ばされたレール溝であり、
前記ウェイトバーに設けられた位置決めクリップを前記レール溝の内面に押し付けることで、前記ウェイトバーが前記被係合部に係合されることを特徴とする請求項１から請求項６のいずれか一項に記載の可動式ロールスクリーン。
【請求項８】
前記被係合部は、前記窓開口部周辺に設けられた孔部であり、
前記ウェイトバーに設けられた位置決めフックを前記孔部に引っ掛けることで、前記ウェイトバーが前記被係合部に係合されることを特徴とする請求項１から請求項６のいずれか一項に記載の可動式ロールスクリーン。
【請求項９】
前記ウェイトバー内には、前記ガイドレールに押し付けられるウェイトバー係合部材が設けられており、前記ウェイトバー係合部材を前記ガイドレールに押し付けることで、前記ウェイトバーが前記ガイドレールに係合されることを特徴とする請求項１から請求項８のいずれか一項に記載の可動式ロールスクリーン。
【請求項１０】
前記ウェイトバー内には、前記ウェイトバー係合部材を前記ガイドレールに押し付ける弾性部材が設けられており、
前記ウェイトバーには、前記ウェイトバー係合部材を前記弾性部材の弾性力に抗して移動させる係合解除手段が設けられていることを特徴とする請求項９に記載の可動式ロールスクリーン。
【請求項１１】
前記ウェイトバー係合部材は、前記ガイドレールに押し付けられる部位に、弾性材料で形成された固定部材が取り付けられていることを特徴とする請求項９又は請求項１０に記載の可動式ロールスクリーン。
【発明の詳細な説明】
【技術分野】
【０００１】
本発明は、建物などの窓開口部を遮蔽するための可動式ロールスクリーンに関する。
【背景技術】
【０００２】
建物に形成された窓開口部の遮光や目隠しのために、窓開口部を室内側から遮蔽するロールスクリーンとしては、長手方向が左右方向に配置されたフレームと、左右両端部がフレームに回転自在な状態で取り付けられた巻取軸と、この巻取軸に巻回されたスクリーンと、このスクリーンの先端部に取り付けられたウェイトバーと、を備え、スクリーンの先端側を巻取軸から引き出し可能なものがある。
【０００３】
前記した構成のロールスクリーンとしては、フレームの両端部と、窓開口部の両縁部に設けられたガイドレールとの摩擦力によって、フレームを任意の高さに固定しているものがある（例えば、特許文献１参照）。このロールスクリーンでは、フレームに対して一定以上の力を加えることで、フレームをガイドレールに沿って上下方向に移動させることができる。したがって、スクリーンの引き出し位置を窓開口部の高さ方向の中央部や上下部に変更することができ、遮蔽パターンを様々に変化させることができる。
【０００４】
【特許文献１】特開平８−３１９７８４号公報（段落００２２、図５）
【発明の開示】
【発明が解決しようとする課題】
【０００５】
しかしながら、前記した従来のロールスクリーンでは、フレームの両端部とガイドレールとの間に常に摩擦力が作用しており、この摩擦力に抗してフレームを移動させるために大きな力が必要になる。なお、フレームの両端部とガイドレールとの摩擦力を小さくした場合には、フレームの自重によってフレームが下降する場合がある。
【０００６】
そこで、本発明では、前記した問題を解決し、フレームを小さな力で安全かつ簡単に移動させることができる可動式ロールスクリーンを提供することを課題とする。
【課題を解決するための手段】
【０００７】
前記課題を解決するため、本発明は、長手方向が左右方向に配置されたフレームと、左右両端部が前記フレームに回転自在な状態で取り付けられた巻取軸と、前記巻取軸に巻回されたスクリーンと、前記スクリーンの先端部に取り付けられたウェイトバーと、を備え、前記スクリーンの先端側を前記巻取軸から引き出し可能な可動式ロールスクリーンであって、前記フレームの左右両端部は、窓開口部の左右両側部に設けられたガイドレールに沿って上下方向に移動自在であるとともに、前記ウェイトバーは、前記窓開口部周辺に設けられた被係合部又は前記ガイドレールに係合可能であり、前記フレームには、前記フレームに対して上向きの引張力を付与する下降防止手段が連結されており、前記フレームは、前記下降防止手段から付与された引張力によって、停止状態に保たれていることを特徴としている。
【０００８】
この構成では、下降防止手段からフレームに対して付与される上向きの引張力によって、フレームの下降が防止され、フレームが停止状態に保たれている。すなわち、下降防止手段の引張力と、フレーム、巻取軸、スクリーン及びウェイトバーの重量の総和とが平衡状態となっている。したがって、フレームに小さな力を加えることで、フレームを上下方向に移動させることができ、フレームに力を加えるのを止めると、その位置でフレームが停止するため、フレームを小さな力で安全かつ簡単に移動させることができる。
また、ウェイトバーと被係合部との係合位置を変更することで、窓開口部に対するスクリーンの遮蔽位置、面積及び角度を変更することができるため、窓からの眺望性及び窓の通風性を確保するとともに調節が可能となっている。
また、スクリーンの一面を反射面とし、窓開口部や採光用ダクトから入射した光をスクリーンの反射面に反射させる場合には、遮蔽パターンや窓開口部に対するスクリーンの角度を変更することで、窓開口部や採光用ダクトから入射した光の採光量を調節することができる。
【０００９】
前記課題を解決するため、本発明の他の構成としては、長手方向が左右方向に配置されたフレームと、左右両端部が前記フレームに回転自在な状態で取り付けられた巻取軸と、前記巻取軸に巻回されたスクリーンと、前記スクリーンの先端部に取り付けられたウェイトバーと、を備え、前記スクリーンの先端側を前記巻取軸から引き出し可能な可動式ロールスクリーンであって、前記フレームの左右両端部は、窓開口部の左右両側部に設けられたガイドレールに沿って上下方向に移動自在であるとともに、前記ウェイトバーは、前記窓開口部周辺に設けられた被係合部又は前記ガイドレールに係合可能であり、前記フレームには、前記フレームに対して上向きの引張力を付与する下降防止手段が連結されており、前記フレーム内には、前記ガイドレールに押し付けられるフレーム係合部材が設けられ、前記フレーム係合部材が前記ガイドレールに押し付けられることで、前記フレームが前記ガイドレールに係合されることを特徴としている。
【００１０】
この構成では、フレームには下降防止手段から上向きの引張力が付与されているため、フレームとガイドレールとの係合状態を解除したときにフレームが急激に下降しない。そして、フレームに小さな力を加えることで、フレームを上下方向に移動させることができるとともに、フレームに力を加えるのを止めて、フレーム内のフレーム係合部材をガイドレールに押し付けることで、フレームを位置決めすることができるため、フレームを小さな力で安全かつ簡単に移動させることができる。
また、ウェイトバーと被係合部との係合位置を変更することで、窓開口部に対するスクリーンの遮蔽位置、面積及び角度を変更することができるため、窓からの眺望性及び窓の通風性を確保するとともに調節が可能となっている。
また、スクリーンの一面を反射面とし、窓開口部や採光用ダクトから入射した光をスクリーンの反射面に反射させる場合には、遮蔽パターンや窓開口部に対するスクリーンの角度を変更することで、窓開口部や採光用ダクトから入射した光の採光量を調節することができる。
【００１１】
前記した可動式ロールスクリーンにおいて、前記フレーム内には、前記フレーム係合部材を前記ガイドレールに押し付ける弾性部材が設けられており、前記フレームには、前記フレーム係合部材を前記弾性部材の弾性力に抗して移動させる係合解除手段を設けることができる。
【００１２】
この構成では、係合解除手段を操作して、フレーム内のフレーム係合部材をガイドレールから離間させることで、フレームとガイドレールとの係合状態を解除し、フレームを移動させることができるため、遮蔽パターンを簡単に変更することができる。
【００１３】
前記した可動式ロールスクリーンにおいて、前記フレーム係合部材は、前記ガイドレールに押し付けられる部位に、弾性材料で形成された固定部材が取り付けられていることが望ましい。
【００１４】
この構成では、弾性材料で形成された固定部材とガイドレールとの間に生じる摩擦力によって、フレームをガイドレールに対して確実に係合させることができるため、スクリーンを引き出すときに、フレームの安定性を高めることができる。
【００１５】
前記した可動式ロールスクリーンにおいて、前記下降防止手段は、前記窓開口部の側部に設けられた支持部材と、前記支持部材に掛け回された線状体と、を備え、前記線状体の一端側には前記フレームが吊り下げられ、他端側にはウェイトが吊り下げられているように構成することができる。
【００１６】
前記した可動式スクリーンにおいて、前記下降防止手段は、前記窓開口部の側部に設けられた支持部材と、前記支持部材に掛け回された線状体と、を備え、前記線状体の一端側には前記フレームが吊り下げられ、他端側は巻き取り方向に回転力が付与されたリールに巻回されているように構成することができる。
【００１７】
これらの構成では、下降防止手段が簡単な構成で部品点数も少ないため、可動式ロールスクリーンの製造コストを低減することができる。
【００１８】
前記した可動式ロールスクリーンにおいて、前記被係合部は、前記窓開口部の開口方向に延ばされたレール溝であり、前記ウェイトバーに設けられた位置決めクリップを前記レール溝の内面に押し付けることで、前記ウェイトバーが前記被係合部に係合されるように構成することができる。
【００１９】
前記した可動式ロールスクリーンにおいて、前記被係合部は、前記窓開口部周辺に設けられた孔部であり、前記ウェイトバーに設けられた位置決めフックを前記孔部に引っ掛けることで、前記ウェイトバーが前記被係合部に係合されるように構成することができる。
【００２０】
これらの構成によれば、ウェイトバーと被係合部との係合位置を簡単に変更することができるため、窓開口部に対するスクリーンの角度を簡単に変更することができる。
【００２１】
前記した可動式ロールスクリーンにおいて、前記ウェイトバー内には、前記ガイドレールに押し付けられるウェイトバー係合部材が設けられており、前記ウェイトバー係合部材を前記ガイドレールに押し付けることで、前記ウェイトバーが前記ガイドレールに係合されるように構成することができる。
【００２２】
この構成では、ウェイトバー内のウェイトバー係合部材をガイドレールに押し付けることで、ウェイトバーを簡単に位置決めすることができる。
【００２３】
前記した可動式ロールスクリーンにおいて、前記ウェイトバー係合部材を前記ガイドレールに押し付ける弾性部材が設けられており、前記ウェイトバーには、前記ウェイトバー係合部材を前記弾性部材の弾性力に抗して移動させる係合解除手段を設けることができる。
【００２４】
この構成では、係合解除手段を操作して、ウェイトバー内のウェイトバー係合部材をガイドレールから離間させることで、ウェイトバーとガイドレールとの係合状態を解除し、ウェイトバーを移動させることができるため、遮蔽パターンを簡単に変更することができる。
【００２５】
前記した可動式ロールスクリーンにおいて、前記ウェイトバー係合部材は、前記ガイドレールに押し付けられる部位に、弾性材料で形成された固定部材が取り付けられていることが望ましい。
【００２６】
この構成では、弾性材料で形成された固定部材とガイドレールとの間に生じる摩擦力によって、ウェイトバーをガイドレールに対して確実に係合させることができるため、引き出されたスクリーンを確実に固定することができる。
【発明の効果】
【００２７】
本発明の可動式ロールスクリーンによれば、フレームを小さな力で安全かつ簡単に移動させることができる。
また、窓開口部に対するスクリーンの遮蔽位置、面積及び角度を変更することができるため、窓からの眺望性及び窓の通風性を確保するとともに調節が可能となっている。
また、窓開口部や採光用ダクトから入射した光をスクリーンに反射させる場合には、遮蔽パターンや窓開口部に対するスクリーンの角度を変更することで採光量を調節することができる。
【発明を実施するための最良の形態】
【００２８】
次に、本発明の実施形態について、適宜図面を参照しながら詳細に説明する。
本実施形態では、本発明の可動式ロールスクリーンを建物の出窓に適用した場合を例として説明する。
以下の説明では、出窓ユニットの全体構成を説明した後に、可動式ロールスクリーンについて詳細に説明する。なお、以下の説明において左右方向とは、室内側（建物側）から窓枠ユニットを見た場合の左右方向である。
【００２９】
出窓ユニット２は、図１に示すように、平面視で台形状となっており、建物の外壁面から突出している。すなわち、出窓ユニット２は、建物の躯体（壁体）に設けられた開口部Ｋから建物の外側に突出しており、枠３と、上部４と、下部５と、左右一対のガイドレール６，６と、被係合部７と、から構成されている。
【００３０】
枠３は、アルミニウム合金製の押出形材であり、建物の躯体から張り出すとともに、建物の躯体に形成された開口部Ｋを囲むようにして、躯体に固定されている。本実施形態の枠３は、左右一対の袖枠ユニット３ａ，３ａと、正面枠ユニット３ｂと、から構成されている。
【００３１】
袖枠ユニット３ａは、四角枠状に形成されており、一方の側縁部が躯体の開口部Ｋの側縁部に固定されている。この袖枠ユニット３ａの枠部材によって囲まれた空間は、ガラス板が嵌め込まれる窓開口部８ａとなっている。
正面枠ユニット３ｂは、四角枠状に形成されており、両側縁部が左右の袖枠ユニット３ａ，３ａにそれぞれ固定されている。この正面枠ユニット３ｂの枠部材に囲まれた空間は、ガラス板が嵌め込まれる窓開口部８ｂとなっている。
【００３２】
上部４及び下部５は、平面視で台形状に形成されており、枠３の上面及び下面に取り付けられている。上部４は、例えば、天板や屋根カバーなどであり、枠３の上面を覆うように設けられている。また、下部５は、例えば、受台カバーや地板などであり、枠３の下面を覆うように設けられている。上部４と下部５とは対向して平行に設けられている。
【００３３】
左右一対のガイドレール６，６は、正面枠ユニット３ｂの左右の縦枠３ｃ，３ｃの室内側（建物側）の外面に立設された板状のレール部材であって（図２参照）、縦枠３ｃの上端部から下端部に亘って延びており、左右のガイドレール６，６は対向して平行に設けられている。また、図２に示すように、ガイドレール６の先端縁（室内側の縁部）には、左右外側に向けて突出したフランジ部６ａが形成されており、ガイドレール６の軸断面はＬ形状となっている（図２参照）。
【００３４】
被係合部７は、図１に示すように、後記する可動式ロールスクリーン１のウェイトバー４０と係合する部位であり、出窓ユニット２の下部５に取り付けられたレール部材７ａに形成されたＶ形状のレール溝である。
レール部材７ａは、下部５の左右方向の中間部に取り付けられており、正面枠ユニット３ｂの窓開口部８ｂの開口方向に延ばされた被係合部７（レール溝）が形成されている。また、レール部材７ａでは、図６に示すように、被係合部７（レール溝）の左右縁部から外側に向けてフランジ部７ｂ，７ｂが突出している。なお、両フランジ部７ｂ，７ｂの内側の端部は、被係合部７（レール溝）内に突出している。
【００３５】
可動式ロールスクリーン１は、図１に示すように、長手方向が左右方向に配置されたフレーム１０と、左右両端部がフレーム１０に回転自在な状態で取り付けられた巻取軸２０と、この巻取軸２０に巻回されたスクリーン３０と、このスクリーン３０の先端部に取り付けられたウェイトバー４０と、フレーム１０の下降を防止する下降防止手段５０（図２参照）と、を備え、スクリーン３０の先端側を巻取軸２０から引き出し可能となっている。
【００３６】
フレーム１０は、図３（ａ）及び（ｂ）に示すように、四角筒状のフレーム本体１１と、このフレーム本体１１の左右両端部に形成されたガイド溝１２内に突出しているフレーム係合部材１３と、を備えている。
なお、本実施形態では、フレーム１０は左右対称の構成となっているため、以下の説明では、室内側（建物側）から見て右側の構成について説明し、左側の構成については省略する。
【００３７】
フレーム本体１１は、アルミニウム合金製の部材であり、図１に示すように、両端部が正面枠ユニット３ｂの両縦枠３ｃ，３ｃの室内側（建物側）に配置されている。
フレーム本体１１の左右両端部において、両縦枠３ｃ，３ｃ側の外面には、図３（ａ）に示すように、ガイドレール６が挿通されるガイド溝１２が形成されている。
ガイド溝１２は、ガイドレール６の断面形状に対応して略Ｌ形状に形成されており、フレーム１０を上下方向に移動させたときに、ガイド溝１２がガイドレール６に案内されることで、フレーム１０を安定して移動させることができる。
また、ガイド溝１２内の右側面には、滑り止め用の固定部材１２ａが貼着されている。この固定部材１２ａは、弾性材料を用いて形成されており、本実施形態ではゴムシートを用いている。
また、図１に示すように、フレーム本体１１の左右両端部には、下側に張り出した巻取軸支持部１１ａ，１１ａが設けられている。
【００３８】
フレーム係合部材１３は、図３（ａ）に示すように、アルミニウム合金製の棒状部材であり、フレーム本体１１内に挿入され、先端部（右側の端部）はガイド溝１２の左側面に形成された孔部から突出してガイド溝１２内に突出している。
【００３９】
フレーム係合部材１３の先端部には、拡径された円板状の当接部１３ａが形成されている。当接部１３ａの先端面には、滑り止め用の固定部材１３ｂが貼着されている。この固定部材１３ｂは、弾性材料を用いて形成されており、本実施形態ではゴムシートを用いている。
また、ガイド溝１２内の左側面と、当接部１３ａとの間にはコイルばね１４が配置されている。
【００４０】
コイルばね１４は、軸方向に伸縮自在な公知の弾性部材であり、図４に示すように、左端部はガイド溝１２内の左側面に係合され、右端部はフレーム係合部材１３の当接部１３ａに係合されている。
そして、コイルばね１４の弾性力によって、フレーム係合部材１３はフレーム本体１１のガイド溝１２内に突出する方向（右側）に押し出され、ガイド溝１２内に挿通されたガイドレール６の左側面に押し付けられる。また、コイルばね１４の弾性力によって、フレーム本体１１は左側に押し出され、ガイド溝１２の左側面がガイドレール６の右側面に押し付けられる。すなわち、フレーム本体１１の固定部材１２ａとフレーム係合部材１３の固定部材１３ｂとによって、ガイドレール６が挟み込まれた状態となる。
このように、フレーム本体１１及びフレーム係合部材１３をガイドレール６に押し付けて係合させることで、フレーム１０をガイドレール６の任意の位置に取り付けることができる。
【００４１】
図３（ａ）及び（ｂ）に示すように、フレーム係合部材１３の基端部（左側の端部）には、係合解除用ワイヤ１３ｃの一端が連結されている。この係合解除用ワイヤ１３ｃの他端は、フレーム本体１１内に設けられた係合解除用ローラ１３ｄの外周部に連結されている。
係合解除用ローラ１３ｄは、フレーム本体１１内の左右方向の中間部に設けられており、前後方向の軸回りに回転自在となっている。また、フレーム本体１１の室内側（建物側）の外面には、係合解除用ローラ１３ｄを回転させるための操作レバー１３ｅが設けられている。
【００４２】
ここで、フレーム１０とガイドレール６との係合状態を解除するときの手順について説明する。
図３（ａ）に示すように、フレーム本体１１の外面に設けられた操作レバー１３ｅを手動で操作して、係合解除用ローラ１３ｄを回転させると、係合解除用ローラ１３ｄと係合解除用ワイヤ１３ｃとの連結部が周方向に移動し、その位置が左側に移動することで、係合解除用ワイヤ１３ｃ全体が左側に引き寄せられる。
そして、フレーム係合部材１３が係合解除用ワイヤ１３ｃに引っ張られて左側に移動し、コイルばね１４はガイド溝１２と当接部１３ａとの間に押し込まれて収縮した状態となる。これにより、フレーム本体１１及びフレーム係合部材１３がガイドレール６から離間し、フレーム１０とガイドレール６との係合状態が解除される。
すなわち、係合解除用ワイヤ１３ｃ、係合解除用ローラ１３ｄ及び操作レバー１３ｅは、フレーム係合部材１３をコイルばね１４の弾性力に抗して移動させるための操作子であり、フレーム１０とガイドレール６との係合状態を解除する係合解除手段を構成するものである。
【００４３】
フレーム１０とガイドレール６との係合が解除された状態では、フレーム１０の左右両端部はガイドレール６に沿って上下方向に移動自在となっている。
そして、フレーム１０をガイドレール６に沿って移動させた後に、操作レバー１３ｅから手を離すと、図４に示すように、コイルばね１４の弾性力によってフレーム１０がガイドレール６に押し付けられて係合した状態となる。
【００４４】
巻取軸２０は、図１に示すように、左右両端部がフレーム１０の巻取軸支持部１１ａ，１１ａに回転自在な状態で取り付けられている。この巻取軸２０は、図示しない渦巻きばねやコイルばねによって、一方向に向けて回転力が付与されている。
【００４５】
スクリーン３０は、巻取軸２０に巻回されており、スクリーン３０の先端側を引き出し可能となっている。スクリーン３０は、巻取軸２０に付与された回転力の回転方向と同一方向に巻回されている。すなわち、引き出されたスクリーン３０には巻取方向に引張力が作用しているため、スクリーン３０は撓むことなく張られた状態となる。
また、本実施形態では、スクリーン３０の片面に反射面が形成されている。この反射面は、例えば、アルミニウムや銀などの金属を蒸着したものや、プラスチックやポリエステルフィルムなどの樹脂素材に金属を蒸着したものである。
【００４６】
ウェイトバー４０は、スクリーン３０の先端縁に取り付けられた棒状部材であり、図５（ａ）に示すように、円筒状のウェイトバー本体４１と、このウェイトバー本体４１の右側面に設けられた右側当接部４２と、ウェイトバー本体４１の左側面から突出しているウェイトバー係合部材４３と、ウェイトバー本体４１に取り付けられた位置決めクリップ４４（図１参照）と、を備えている。
【００４７】
ウェイトバー本体４１は、アルミニウム合金製の円筒状部材であり、図１に示すように、出窓ユニット２の正面枠ユニット３ｂの両縦枠３ｃ，３ｃに設けられたガイドレール６，６の間に収まる横幅に形成されている。
【００４８】
右側当接部４２は、図５（ａ）に示すように、ウェイトバー本体４１の右側面に立設された円柱状の部材であり、上端部は拡径されており、その上面に滑り止め用の固定部材４２ａが貼着されている。この固定部材４２ａは、弾性材料を用いて形成されており、本実施形態ではゴムシートを用いている。
【００４９】
ウェイトバー係合部材４３は、アルミニウム合金製の棒状部材であり、ウェイトバー本体４１内に挿入され、左側の端部はウェイトバー本体４１の左側面に形成された孔部から突出している。
【００５０】
ウェイトバー係合部材４３の右側の端部には、室内側（建物側）に突出した可動レバー４３ａが形成されている。この可動レバー４３ａの先端部は、ウェイトバー本体４１の側壁に形成された開口部４１ａから外部に突出している。
ウェイトバー本体４１の開口部４１ａは左右方向に幅広であるため、可動レバー４３ａを開口部４１ａ内で左右方向に移動させることができる。なお、ウェイトバー本体４１の開口部４１ａの右縁部には、可動レバー４３ａに対向するように固定レバー４１ｂが突出している。
【００５１】
ウェイトバー係合部材４３の左側の端部には、拡径された左側当接部４３ｂが形成されている。左側当接部４３ｂの左側面には、固定部材４３ｃが貼着されている。この固定部材４３ｃは、弾性材料を用いて形成された滑り止め用の部材であり、本実施形態ではゴムシートを用いている。
【００５２】
ウェイトバー係合部材４３において、ウェイトバー本体４１に収容されている部位には、拡径されたコイルばね支持部４３ｄが形成されている。このコイルばね支持部４３ｄは、ウェイトバー本体４１の内部に配置されている。
また、ウェイトバー本体４１の内面において、開口部４１ａよりも左側の位置には、内面から突出した縮径部４１ｃが形成されている。ウェイトバー係合部材４３のコイルばね支持部４３ｄは、ウェイトバー本体４１の縮径部４１ｃよりも左側に配置されており、縮径部４１ｃとコイルばね支持部４３ｄとの間にコイルばね４５が配置されている。
【００５３】
コイルばね４５は、軸方向に伸縮自在な公知の弾性部材であり、右端部はウェイトバー本体４１の縮径部４１ｃに係合され、左端部はウェイトバー係合部材４３のコイルばね支持部４３ｄに係合されている。
そして、コイルばね４５の弾性力によって、ウェイトバー本体４１は押し出され、右側当接部４２が右側のガイドレール６の左側面に押し付けられる。
また、コイルばね４５の弾性力によって、ウェイトバー係合部材４３は押し出され、左側当接部４３ｂが左側のガイドレール６の右側面に押し付けられる。
このように、ウェイトバー係合部材４３を左右一対のガイドレール６，６に押し付けて係合させることで、ウェイトバー４０を左右一対のガイドレール６，６の任意の高さに取り付けることができる。
【００５４】
ウェイトバー４０と左右一対のガイドレール６，６との係合状態を解除するときには、図５（ｂ）に示すように、ウェイトバー本体４１の外面に突出した可動レバー４３ａを手動で右側に移動させて、ウェイトバー係合部材４３を右側に移動させることで、コイルばね４５をコイルばね支持部４３ｄによって押し込んで収縮させる。
なお、ウェイトバー本体４１の固定レバー４１ｂと可動レバー４３ａとを片手で摘んで、固定レバー４１ｂに対して可動レバー４３ａを引き寄せることで、ウェイトバー係合部材４３を簡単に移動させることができる。
【００５５】
ウェイトバー係合部材４３が右側に移動すると、ウェイトバー４０が左右一対のガイドレール６，６の間に収まる幅に収縮され、ウェイトバー４０と左右一対のガイドレール６，６との係合状態が解除される。
すなわち、ウェイトバー係合部材４３の可動レバー４３ａは、ウェイトバー係合部材４３をコイルばね４５の弾性力に抗して移動させるための操作子であり、ウェイトバー４０と左右一対のガイドレール６，６との係合状態を解除する係合解除手段を構成するものである。
【００５６】
ウェイトバー４０と左右のガイドレール６，６との係合が解除された状態では、ウェイトバー４０全体が左右のガイドレール６，６の間に収まる幅となっているため、ウェイトバー４０を左右のガイドレール６，６の間で上下方向に移動させることができる。
そして、ウェイトバー４０を移動させた後に、左右一対のガイドレール６，６の間で可動レバー４３ａから手を離すと、図５（ａ）に示すように、コイルばね４４の弾性力によってウェイトバー４０が左右一対のガイドレール６，６に押し付けられて係合した状態となる。
【００５７】
位置決めクリップ４４は、図１に示すように、ウェイトバー４０の左右方向の中間部に吊り下げられており、被係合部７に係合される部材であり、図７に示すように、鋼材などの弾性を有する材料からなる板状部材を、Ｖ形状に折り曲げ加工したものである。
位置決めクリップ４４は、Ｖ形状の押圧部４４ａと、この押圧部４４ａの左右上縁部から内側に向けて水平に形成された当接部４４ｂ，４４ｂと、各当接部４４ｂ，４４ｂの内縁部から立ち上げられた力点部４４ｃ，４４ｃと、が形成されている。
二体の力点部４４ｃ，４４ｃは、逆ハの字形状となるように、外側に向けて斜め上方に傾斜している。
【００５８】
押圧部４４ａの左右両側の外面には、固定部材４４ｄがそれぞれ貼着されている（図８参照）。この固定部材４４ｄは、弾性材料を用いて形成された滑り止め用の部材であり、本実施形態ではゴムシートを用いている。
【００５９】
左側の力点部４４ｃの上部には、貫通孔４４ｅが形成されている。この貫通孔４４ｅには、環状の連結リング４４ｆが挿通されている。この連結リング４４ｆには、ウェイトバー４０の左右方向の中間部から吊り下げられた連結ワイヤ４４ｇの下端部が連結されており、連結ワイヤ４４ｇ及び連結リング４４ｆによって、位置決めクリップ４４がウェイトバー４０から吊り下げられている。
【００６０】
位置決めクリップ４４を被係合部７に係合するときには、図８（ａ）に示すように、左右の両力点部４４ｃ，４４ｃを摘んで押圧部４４ａの左右の幅を狭めた状態で、押圧部４４ａを被係合部７内に挿入する。
そして、図８（ｂ）に示すように、左右の両力点部４４ｃ，４４ｃから手を離すと、押圧部４４ａの左右の幅が広がり、押圧部４４ａの左右両側の外面に貼着された固定部材４４ｄ，４４ｄが被係合部７の内面に押し付けられる。また、両フランジ部７ｂ，７ｂの内側の縁部に、位置決めクリップ４４の左右の両当接部４４ｂ，４４ｂに当接することで、位置決めクリップ４４の抜け止めが構成されている。
【００６１】
このように、位置決めクリップ４４を被係合部７の内面に押し付けることで、図６に示すように、ウェイトバー４０が被係合部７に係合され、ウェイトバー４０を被係合部７の任意の位置に取り付けることができる。
また、ウェイトバー４０と被係合部７との係合状態を解除する場合には、図８（ａ）に示すように、位置決めクリップ４４の両力点部４４ｃ，４４ｃを摘んで押圧部４４ａの左右の幅を狭めることで、位置決めクリップ４４を簡単に被係合部７から離脱させることができる。
【００６２】
下降防止手段５０は、図２に示すように、正面枠ユニット３ｂの窓開口部８ｂの側部に設けられており、フレーム１０に連結され、フレーム１０に対して上向きの引張力を付与するものである。
下降防止手段５０は、正面枠ユニット３ｂの縦枠３ｃ内に設けられた滑車５１（特許請求の範囲における支持部材）と、この滑車５１に掛け回された吊りワイヤ５２（特許請求の範囲における線状体）と、を備えている。
【００６３】
滑車５１は、図３（ａ）及び（ｂ）に示すように、正面枠ユニット３ｂの縦枠３ｃ内の上部に設けられており、左右方向の軸回りに回転自在となっている。また、縦枠３ｃの室内側（建物側）の側壁において、滑車５１に対向する位置には、開口部３ｄが形成されている。
【００６４】
吊りワイヤ５２は、滑車５１の外周部に形成されたワイヤ溝に掛け回されており、吊りワイヤ５２の一端側は、縦枠３ｃの開口部３ｄから外部に引き出され、フレーム本体１１の上面に連結されている。また、吊りワイヤ５２の他端側は、縦枠３ｃ内に吊り下げられ、縦枠３ｃ内に配置されたウェイト５３の上面に連結されている。すなわち、吊りワイヤ５２の一端側にはフレーム１０のフレーム本体１１が吊り下げられ、他端側にはウェイト５３が吊り下げられている。
本実施形態では、ウェイト５３の重量が、フレーム１０、巻取軸２０、スクリーン３０及びウェイトバー４０の重量の総和と平衡するように設定されている。
【００６５】
このような下降防止手段５０によって、フレーム１０には、ウェイト５３の重量が吊りワイヤ５２を介して上向きの引張力として付与される。すなわち、フレーム１０、巻取軸２０、スクリーン３０及びウェイトバー４０の重量の総和と平衡する引張力がフレーム１０に付与されることで、フレーム１０の下降を防ぐことができ、フレーム１０を停止状態に保つことができる。
【００６６】
以上のような可動式ロールスクリーン１によれば、図１に示すように、フレーム１０の左右両端部を左右一対のガイドレール６，６に沿って上下方向に移動させることで、スクリーン３０の引き出し位置を窓開口部８ａ，８ｂの高さ方向の中央部や上下部に変更することができ、遮蔽パターンを様々に変化させることができる。
また、遮蔽パターンや窓開口部８ａ，８ｂに対するスクリーン３０の角度を変更し、スクリーン３０の片面に形成された反射面の角度を調節することで、窓開口部８ａ，８ｂや採光用ダクトから入射した光の採光量を調節することができる。
【００６７】
また、図２に示すように、フレーム１０には、下降防止手段５０から上向きの引張力が付与されているため、フレーム１０と左右一対のガイドレール６，６との係合状態を解除したときにフレーム１０が急激に下降しない。
また、本実施形態では、下降防止手段５０の引張力と、フレーム１０、巻取軸２０、スクリーン３０及びウェイトバー４０の重量の総和とが平衡状態となっているため、フレーム１０に小さな力を加えることで、フレーム１０を上下方向に移動させることができ、フレーム１０に力を加えるのを止めると、その位置でフレーム１０が停止する。さらに、フレーム１０内のフレーム係合部材１３を左右のガイドレール６，６に押し付けることで、フレーム１０を位置決めすることができる。
このように、本実施形態の可動式ロールスクリーン１では、フレーム１０を小さな力で安全かつ簡単に移動させることができる。
なお、本実施形態の下降防止手段５０は、簡単な構成で部品点数も少ないため、可動式ロールスクリーン１の製造コストを低減することができる。
【００６８】
また、図３（ａ）に示すように、フレーム係合部材１３は、ガイドレール６に押し付けられる部位に、弾性材料で形成された固定部材１３ｂが取り付けられており、固定部材１３ｂとガイドレール６との間に生じる摩擦力によって、フレーム１０をガイドレール６に対して確実に係合させることができるため、スクリーン３０を引き出すときに、フレーム１０の安定性を高めることができる。
また、フレーム１０の外面に設けられた操作レバー１３ｅ（係合解除手段）を操作して、フレーム１０内のフレーム係合部材１３をガイドレール６から離間させることで、フレーム１０とガイドレール６との係合状態を解除し、フレーム１０を移動させることができるため、遮蔽パターンを簡単に変更することができる。
【００６９】
また、図１に示すように、ウェイトバー４０と被係合部７との係合位置を変更することで、窓開口部８ａ，８ｂに対するスクリーン３０の遮蔽位置、面積及び角度を変更することができるため、窓からの眺望性及び窓の通風性を確保するとともに調節が可能となっている。
本実施形態では、図６に示すように、ウェイトバー４０に設けられた位置決めクリップ４４を、被係合部７（レール溝）の内面に押し付けることで、ウェイトバー４０が被係合部７に係合されており、ウェイトバー４０と被係合部７との係合位置を簡単に変更することができるため、窓開口部８ａ，８ｂに対するスクリーン３０の角度を簡単に変更することができる。
【００７０】
また、図５（ａ）に示すように、ウェイトバー４０内に設けられたウェイトバー係合部材４３をガイドレール６に押し付けることで、ウェイトバー４０を左右一対のガイドレール６，６に対して簡単に位置決めすることができる。
また、ウェイトバー係合部材４３は、ガイドレール６に押し付けられる部位に、弾性材料で形成された固定部材４３ｃが取り付けられており、固定部材４３ｃとガイドレール６との間に生じる摩擦力によって、ウェイトバー４０をガイドレール６に対して確実に係合させることができるため、引き出されたスクリーン３０を確実に固定することができる。
また、ウェイトバー４０の外面に突出した可動レバー４３ａ（係合解除手段）を操作して、ウェイトバー４０内のウェイトバー係合部材４３をガイドレール６から離間させることで、ウェイトバー４０とガイドレール６との係合状態を解除し、ウェイトバー４０を移動させることができるため、遮蔽パターンを簡単に変更することができる。
【００７１】
以上、本発明の実施形態について説明したが、本発明は前記実施形態に限定されることなく、その趣旨を逸脱しない範囲で適宜に設計変更が可能である。
例えば、本実施形態では、図２に示す下降防止手段５０において、フレーム１０とガイドレール６との係合状態を解除したときに、フレーム１０の停止状態が保たれるように設定されているが、フレーム１０が急激に下降しないのであれば、フレーム１０を停止させなくてもよい。すなわち、フレーム１０に付与される上向きの引張力が、フレーム１０、巻取軸２０、スクリーン３０及びウェイトバー４０の重量の総和と近似していればよい。この構成では、フレーム１０とガイドレール６との係合状態を解除したときに、フレーム１０が緩やかに上昇又は下降することになるが、非常に小さい力でフレーム１０を支えることで、フレーム１０を位置決めすることができる。
【００７２】
また、本実施形態では、一端側にフレーム１０が吊り下げられ、他端側にウェイト５３が吊り下げられた吊りワイヤ５２を、滑車５１に掛け回しているが、吊りワイヤ５２を支持する支持部材としては、各種ローラや棒状の部材など限定されるものではない。さらに、フレーム１０及びウェイト５３を吊り下げられるための線状体は、ワイヤに限定されるものではなく、各種の線状体を用いることができる。
【００７３】
また、本実施形態の下降防止手段５０では、吊りワイヤ５２の他端にウェイト５３を吊り下げることで、フレーム１０に引張力を付与しているが、図９に示すように、渦巻きばねなどの弾性部材によって、巻き取り方向に回転力が付与されたリール６０を縦枠３ｃ内に設け、このリール６０に吊りワイヤ５２の他端側を巻回することで、フレーム１０に対して引張力を付与することもできる。
また、縦枠３ｃ内にコイルばねを挿入し、コイルばねの下端部を縦枠内に取り付け、コイルばねの上端部に吊りワイヤ５２の一端を取り付けることで、コイルばねの弾性力によって、フレーム１０に引張力を付与することもできる。
【００７４】
また、本実施形態では、図６に示すように、ウェイトバー４０に吊り下げられた位置決めクリップ４４を用いて、ウェイトバー４０を被係合部７（レール溝）に係合させているが、図１０に示すように、ウェイトバー４０に吊り下げられた位置決めフック４６を用いて、ウェイトバー４０を被係合部７０（孔部）に係合させてもよい。
【００７５】
位置決めフック４６は、図１１に示すように、円板状の基部４６ａと、この基部４６ａ上面に突出した板状の突出部４６ｂと、が形成されている。基部４６ａの直径は、突出部４６ｂの厚みよりも大きく形成されている。
突出部４６ｂの上部には、貫通孔４６ｃが形成されている。この貫通孔４６ｃには、図１０に示すように、環状の連結リング４６ｄが挿通されており、ウェイトバー４０から吊り下げられた連結ワイヤ４６ｅが連結リング４６ｄに連結されることで、位置決めフック４６がウェイトバー４０から吊り下げられている。
【００７６】
位置決めフック４６の係合対象である被係合部７０は、図１０に示すように、出窓ユニット２（図１参照）の下部５の上面に設けられた孔部である。
下部５には正面枠ユニット３ｂの窓開口部８ｂの開口方向に延ばされた溝部５ａが形成されており、溝部５ａの上面を塞ぐようにして、下部５の上面に係合プレート５ｂが取り付けられている。この係合プレート５ｂには、複数の被係合部７０・・・（孔部）が溝部５ａに沿って所定の間隔で形成されており、各被係合部７０・・・（孔部）は溝部５ａに連通している。
【００７７】
被係合部７０（孔部）には、位置決めフック４６の基部４６ａが挿通される挿通部７１が形成されており、挿通部７１には位置決めフック４６の突出部４６ｂが嵌め込まれる係合部７２が連通して形成されている。
【００７８】
そして、ウェイトバー４０に吊り下げられた位置決めフック４６を被係合部７０（孔部）に係合させるときには、図１２（ａ）に示すように、位置決めフック４６の基部４６ａを上方から被係合部７０の挿通部７１に挿通させ、被係合部７０内で位置決めフック４６をスライドさせることで、図１２（ｂ）に示すように、位置決めフック４６を被係合部７０の係合部７２に嵌め込む。これにより、図１２（ｃ）に示すように、位置決めフック４６の基部４６ａが、被係合部７０の係合部７２に引っ掛かるため、位置決めフック４６が被係合部７０に係合された状態となる。
【００７９】
この構成では、位置決めフック４６を被係合部７０（孔部）に引っ掛けることで、ウェイトバー４０を被係合部７０に係合させることができるため、ウェイトバー４０と被係合部７０との係合位置を簡単に変更することができ、スクリーン３０の角度を簡単に変更することができる。
【００８０】
また、本実施形態では、図１に示すフレーム１０、巻取軸２０、ウェイトバー４０がアルミニウム合金で形成されているが、可動式ロールスクリーン１の各部品は金属製に限定されるものではなく、樹脂製の部品を用いることもできる。
【００８１】
また、本実施形態では、スクリーン３０の片面を反射面としているが、遮光のみを目的とした可動式ロールスクリーン１では反射面を設ける必要はない。
【図面の簡単な説明】
【００８２】
【図１】本実施形態の出窓ユニット及び可動式ロールスクリーンを示した斜視図である。
【図２】本実施形態の下降防止手段を示した斜視図である。
【図３】本実施形態のフレームとガイドレールとの係合を解除した状態を示した図で、（ａ）は平面断面図、（ｂ）は正面図である。
【図４】本実施形態のフレームとガイドレールとの係合状態を示した平面断面図である。
【図５】本実施形態のウェイトバーを示した図で、（ａ）はウェイトバーと被係合部との係合状態を示した平面断面図、（ｂ）はウェイトバーと被係合部との係合を解除した状態を示した平面断面図である。
【図６】本実施形態の位置決めクリップを被係合部に取り付けた状態を示した斜視図である。
【図７】本実施形態の位置決めクリップを示した斜視図である。
【図８】本実施形態の位置決めクリップと被係合部とを係合させる工程を示した図で、（ａ）は位置決めクリップを被係合部内に挿入する態様を示した正面断面図、（ｂ）は位置決めクリップを被係合部に係合させた状態を示した正面断面図である。
【図９】他の実施形態を示した図で、下降防止手段にリールを用いたときの側断面図である。
【図１０】他の実施形態を示した図で、位置決めフックを被係合部に取り付けたときの斜視図である。
【図１１】他の実施形態の位置決めフックを示した斜視図である。
【図１２】他の実施形態の位置決めフックを被係合部に係合させるときの態様を示した図で、（ａ）は位置決めフックの基部を挿通部に挿通したときの平面図、（ｂ）は位置決めフックの突出部を係合部に嵌め込んだときの平面図、（ｃ）は位置決めフックと被係合部との係合状態を示した正面断面図である。
【符号の説明】
【００８３】
１      可動式ロールスクリーン
２      出窓ユニット
３      枠
３ｃ    縦枠
４      上部
５      下部
６      ガイドレール
７      被係合部（レール溝）
８ａ    窓開口部
８ｂ    窓開口部
１０    フレーム
１１    フレーム本体
１２    ガイド溝
１２ａ  固定部材
１３    フレーム係合部材
１３ａ  当接部
１３ｂ  固定部材
１３ｃ  係合解除用ワイヤ
１３ｄ  係合解除用ローラ
１３ｅ  操作レバー
２０    巻取軸
３０    スクリーン
４０    ウェイトバー
４１    ウェイトバー本体
４１ｂ  固定レバー
４２    右側当接部
４２ａ  固定部材
４３    ウェイトバー係合部材
４３ａ  可動レバー
４３ｂ  左側当接部
４３ｃ  固定部材
４４    位置決めクリップ
４４ａ  押圧部
４４ｂ  当接部
４４ｃ  力点部
４４ｄ  固定部材
４６    位置決めフック
４６ａ  基部
４６ｂ  突出部
５０    下降防止手段
５１    滑車（支持部材）
５２    吊りワイヤ（線状体）
５３    ウェイト
６０    リール
７０    被係合部（孔部）
【図１】
2010101066.tif 000003
【図２】
2010101066.tif 000004
【図３】
2010101066.tif 000005
【図４】
2010101066.tif 000006
【図５】
2010101066.tif 000007
【図６】
2010101066.tif 000008
【図７】
2010101066.tif 000009
【図８】
2010101066.tif 000010
【図９】
2010101066.tif 000011
【図１０】
2010101066.tif 000012
【図１１】
2010101066.tif 000013
【図１２】
2010101066.tif 000014